(57)【特許請求の範囲】
【請求項１】
脚体に支持される座を備え、
上方側の椅子の前記座の下面を、同形状の下方側の椅子の前記座の上面に当接させて重ね合わせ可能とされる椅子において、
前記座は、座本体と、当該座本体の裏面側を被う裏面カバーと、前記座本体の上面側に取り付けられ、前記座本体よりも軟質なクッション材と、を備え、
前記裏面カバーは、前記下方側の椅子の前記座の上面側に重ね合わせ可能で、前記座本体の下面との間に空間部が設けられる底部壁を有し、
前記底部壁には、前記座本体の上面側の端縁と略同形状の窪み部が上方側に窪んで設けられ、
前記窪み部は、前記座本体の前記端縁の側の最深部から中央側領域に向かって下方傾斜して形成されるとともに、同形状の下方側の椅子の前記座本体の上面側の端縁に対して、前記クッション材を挟んで上方から係合可能とされていることを特徴とする椅子。
【発明の詳細な説明】
【技術分野】
【０００１】
この発明は、同形状の椅子を上下に積み重ねて収納することが可能な椅子に関するものである。
【背景技術】
【０００２】
不使用時に、同形状の椅子を上下に積み重ねて収納できる椅子が知られている(例えば、特許文献１，２参照)。
【０００３】
特許文献１に記載の椅子は、脚体に支持される座が、着座者の荷重を受ける座本体と、座本体の裏面を被う裏面カバーと、を備えている。この椅子の場合、裏面カバーの下面が平坦に形成されており、不使用時には、下方側の椅子の座本体の上面側に、同形状の上方側の椅子の裏面カバーの平坦な下面を当接させ、その状態で同形状の椅子を上下に積み重ねることができる。このため、この椅子においては、座本体の裏面側に凹凸部がある場合にも、座本体の上面が裏面カバーの平坦な下面に当接することによって、座本体の上面に傷等の劣化が生じるのを防止することができる。
【０００４】
また、特許文献２に記載の椅子は、脚体に支持される座が、着座者の荷重を受ける座本体と、座本体の裏面を被う裏面カバーと、を備え、脚体には、積み重ね時に、裏面カバーの受部に当接するスタッキングバーが取り付けられている。スタッキングバーは、脚体から座の下方に突出しており、下方側の椅子の上方に同形状の上方側の椅子を重ねるときに、下方側の椅子の裏面カバーの側部に延設された受部に上方から当接し得るようになっている。また、裏面カバーの側部に延設された受部の上面には、スタッキングバーの位置ズレを防止するためのストッパーが突設されている。
【先行技術文献】
【特許文献】
【０００５】
【特許文献１】実公昭６３−００１８９７号公報
【特許文献２】特許第４１４４００７号公報
【発明の概要】
【発明が解決しようとする課題】
【０００６】
特許文献１に記載の椅子は、座本体の裏面に下面が平坦な裏面カバーが取り付けられているため、下方側の椅子の座本体の上面側に同形状の上方側の椅子の座を重ねた場合に、座本体の上面に傷等の劣化が生じるのを防止することができるものの、裏面カバーの下面が平坦であることから、積み重ねた上方側の椅子の座が下方側の椅子の座に対して面方向に滑り易い。このため、上方側の椅子に外力が加わったときや、上方側の椅子のバランスが僅かに崩れたとき等に、上方側の椅子が下方側の椅子の座上を滑って落下することが懸念される。
【０００７】
一方、特許文献２に記載の椅子は、上方側の椅子のスタッキングバーが下方側の椅子の受部にストッパー部と係合した状態で当接することにより、積み重ね時に上方側の椅子が滑って落下するのを防止することができる。しかし、この椅子の場合、スタッキングバーを脚体に設け、さらにストッパーを有する受部を裏面カバーの側部に設けなければならないため、椅子の構造が複雑になり、製造コストが高騰することが懸念される。
【０００８】
そこでこの発明は、構造を複雑にすることなく、下方側の椅子の座の上部に上方側の椅子の座を安定して積み重ねることができる椅子を提供しようとするものである。
【課題を解決するための手段】
【０００９】
この発明に係る椅子では、上記課題を解決するため、脚体に支持される座を備え、上方側の椅子の前記座の下面を、同形状の下方側の椅子の前記座の上面に当接させて重ね合わせ可能とされる椅子において、前記座は、座本体と、当該座本体の裏面側を被う裏面カバーと、前記座本体の上面側に取り付けられ、前記座本体よりも軟質なクッション材と、を備え、前記裏面カバーは、前記下方側の椅子の前記座の上面側に重ね合わせ可能で、前記座本体の下面との間に空間部が設けられる底部壁を有し、前記底部壁には、前記座本体の上面側の端縁と略同形状の窪み部が上方側に窪んで設けられ、前記窪み部は、前記座の前記端縁の側の最深部から中央側領域に向かって下方傾斜して形成されるとともに、同形状の下方側の椅子の前記座本体の上面側の端縁に対して、前記クッション材を挟んで上方から係合可能とされている。
【００１０】
これにより、不使用時に、下方側の椅子の座の上面に上方側の椅子の座の下面を重ね合わせる場合には、下方側の椅子の座の上面側の端縁に、上方側の椅子の座の下面の窪み部を係合させる。このとき、上方側の椅子の座の下面の窪み部が、座の端縁側の最深部から中央側領域に向かって下方傾斜していることにより、上方側の椅子が、窪み部を下方側の椅子の上面側の端縁と係合させつつ、その係合部位を支点として中央側領域が下方となるように傾斜しようとする。この結果、上方側の椅子の重心に作用する荷重により、上方側の椅子の窪み部と下方側の椅子の上面側の端縁との係合状態が維持されるとともに、上方側の椅子が下方側の椅子から滑り落ちにくくなる。
【００１１】
この場合、座が、座本体と、当該座本体の裏面側を被う裏面カバーと、を備えているため、同形状の下方側の椅子の座の上面に上方側の椅子の座を重ね合わせたときに、下方側の椅子の座の上面が、上方側の椅子の座本体の下面の凹凸部と直接接触することがなくなる。したがって、複数の椅子を積み重ねたときに、座本体の上面側に傷付き等の劣化が生じるのを未然に防止することができる。
【００１２】
また、この場合、同形状の下方側の椅子の座の上面に上方側の椅子の座が重ねられると、下方側の椅子の座の上面側に上方側の椅子の裏面カバーの底部壁が当接し、このとき椅子の重みによって上方側の椅子の裏面カバーの底部壁が撓み、その裏面カバーの窪み部が下方側の椅子の座の上面側の端縁に密に係合するようになる。したがって、この構造を採用することにより、下方側の椅子の座の上部に上方側の椅子の座をより安定して積み重ねることができる。
【００１３】
さらに、この場合、同形状の下方側の椅子の座の上面に上方側の椅子の座が重ねられると、下方側の椅子の座の上面側のクッション材が上方側の椅子の重みによって大きく撓み変形し、上方側の椅子の窪み部が下方側の椅子の座の上面側の端縁により密に係合するようになる。
【発明の効果】
【００１４】
この発明によれば、座の上面側の端縁と略同形状の窪み部が座の下面に上方側に窪んで設けられ、窪み部が、座の端縁側の最深部から中央側領域に向かって下方傾斜して形成されていることから、同形状の下方側の椅子の座の上面側の端縁に上方側の椅子の下面の窪み部を係合させると、上方側の椅子の重心に作用する荷重により、上方側の椅子の窪み部と下方側の椅子の座の上面側の端縁との係合を安定的に維持することができる。したがって、この発明によれば、構造を複雑にすることなく、下方側の椅子の座の上部に上方側の椅子の座を安定して積み重ねることができる。
【図面の簡単な説明】
【００１５】
【図１】この発明の一実施形態に係る椅子の斜視図である。
【図２】この発明の一実施形態に係る椅子の斜視図である。
【図３】この発明の一実施形態に係る椅子の一部の部材を取り去った斜視図である。
【図４】この発明の一実施形態に係る椅子の積み重ねた状態での側面図である。
【図５】この発明の他の実施形態に係る椅子の積み重ねた状態での側面図である。
【発明を実施するための形態】
【００１６】
以下、この発明の実施形態を図面に基づいて説明する。
図１は、この実施形態に係る椅子１を後部右上方側から見た斜視図であり、図２は、同椅子１を後部右下方側から見た斜視図である。なお、図面において、矢印ＦＲは、椅子１の前方を指し、矢印ＵＰは、椅子１の上方を、矢印ＬＨは、椅子１の左側方をそれぞれ指すものとする。
【００１７】
この実施形態に係る椅子１は、フロア上に載置される脚体１０と、脚体１０の上部に支持されて着座者の臀部を支持する座１１と、座１１の後部から上方に立設されて着座者の背部を支持する背凭れ１２と、を備えている。
座１１は、略矩形状の平面視形状に形成され、背凭れ１２は、座１１と略同幅の略矩形状の正面視形状に形成されている。座１１は、合板や樹脂板等からなる座本体１１Ａと、座本体１１Ａの裏面(下面)を被う樹脂製の裏面カバー１１Ｂと、を備えている。この実施形態の場合、背凭れ１２は、座本体１１Ａと一体に形成され、座本体１１Ａの後部から上方側に向かって延出している。背凭れ１２は、下縁部側が後方側に湾曲した後に着座者の腰部の当たる位置を前方側の最膨出部として、それより上部側が後方に若干傾斜しつつ上方側に延出している。背凭れ１２の上縁部の幅方向の中央領域には、横長の略矩形状の把手用開口１３が形成されている。
【００１８】
図３は、裏面カバー１１Ｂを取り外した椅子１を後部右下方側から見た斜視図である。
図３に示すように、椅子１の脚体１０は、座１１の四隅から下方に向かって延出する４本の支柱部１０ａ…を有している。各支柱部１０ａは、座１１の対角位置に配置されるもの同士が連結梁部１０ｂによって連結され、連結梁部１０ｂ，１０ｂ同士は座１１の略中心位置において相互に連結されている。連結梁部１０ｂの適所には、板状の締結片１４が接合され、その締結片１４が座１１の座本体１１Ａの裏面にボルト締結されるようになっている。
なお、この実施形態に係る椅子１においては、４本の支柱部１０ａ…のうちの座１１の後方側に配置される２本の支柱部１０ａ−ｒ，１０ａ−ｒは、座１１の幅方向の外側端面よりも外側位置から下方に向かって延出している。
【００１９】
図４は、同形状の二つの椅子１，１を上下に積み重ねて左側方から見た図である。
図１，図２，図４に示すように、座本体１１Ａは、前後方向の中央領域がほぼ平坦に形成されるとともに、前縁部が前部下方に向かって滑らかに湾曲する形状とされている。座本体１１Ａは、全域がほぼ一定肉厚に形成されているため、その上面側の前縁部は前部下方に向かって湾曲する湾曲面とされている。以下、この部分を前縁湾曲面１１Ａ−ａと呼ぶものとする。
【００２０】
ここで、この実施形態に係る椅子１は、図４に示すように、不使用時に、同形状の複数の椅子１を上下に重ねて収納できるようになっている。この収納時には、上方側の椅子１は、下方側の椅子１と前後の向きを揃え、上方側の椅子１の後部２本の支柱部１０ａ−ｒ，１０ａ−ｒが、下方側の椅子１の座１１の左右の外側を跨ぐようにして、上方側の椅子１の座１１を下方側の椅子１の座１１の上面に載置する。このとき、上方側の椅子１は、座１１の裏面カバー１１Ｂの下面が、下方側の椅子１の座本体１１Ａの上面に当接するとともに、背凭れ１２が、下方側の椅子１の背凭れ１２の前方側に略平行になって配置される。
【００２１】
一方、裏面カバー１１Ｂは、下方側の椅子１の座１１の上面に重ね合わせられる略正方形状の底部壁１１Ｂ−ａと、底部壁１１Ｂ−ａの周域部から外側斜め上方に向かって起立する起立壁１１Ｂ−ｂと、を有している。底部壁１１Ｂ−ａの前縁部には、座本体１１Ａの前縁湾曲面１１Ａ−ａと略同形状の窪み部１５が上方側に窪んで設けられている。また、底部壁１１Ｂ−ａの中央領域には、上方側に向かって隆起し、裏面カバー１１Ｂを座本体１１Ａの裏面にボルト締結するためのボス部１６が形成されている。裏面カバー１１Ｂは、座本体１１Ａの裏面に締結固定した状態では、ボス部１６と起立壁１１Ｂ−ｂの上端部のみが座本体１１Ａの裏面に当接し、底部壁１１Ｂ−ａと座本体１１Ａの下面との間には、空間部１８(図４参照)が設けられている。
【００２２】
裏面カバー１１Ｂの窪み部１５は、前後方向の断面形状が緩やかな湾曲形状に形成され、その断面形状が底部壁１１Ｂ−ａの椅子幅方向に亘って連続している。また、窪み部１５は、前端側の最深部から底部壁１１Ｂ−ａの前後方向の中央側領域に向かって下方傾斜して形成されている。
【００２３】
裏面カバー１１Ｂの起立壁１１Ｂ−ｂには、略Ｕ字状の４つの切り欠き溝１７…が形成されている。この各切り欠き溝１７には、脚体１０の連結梁部１０ｂの端部が挿通されている。
【００２４】
この実施形態に係る椅子１を、不使用時に、実際に上下方向に複数積み重ねる場合には、図４に示すように、下方側の椅子１の座１１の上面に上方側の椅子１の座１１の下面を載置する。このとき、上方側の椅子１は、座１１の裏面カバー１１Ｂの下面の窪み部１５を下方側の椅子１の座本体１１Ａの前縁湾曲面１１Ａ−ａと係合させる。
上方側の椅子１の座１１の窪み部１５は、座１１の端縁側の最深部から中央側領域に向かって下方傾斜しているため、このとき、上方側の椅子１は、窪み部１５を下方側の椅子１の前縁湾曲面１１Ａ−ａと係合させつつ、その係合部位を支点として中央側領域が下方となるように傾斜しようとする。この結果、上方側の椅子１の重心に作用する荷重により、上方側の椅子１の窪み部１５と下方側の椅子１の前縁湾曲面１１Ａ−ａの係合状態が維持されるとともに、上方側の椅子１が前方側に滑り落ちにくくなる。
【００２５】
以上のように、この実施形態に係る椅子１においては、座１１の上面側の前端縁(前縁湾曲面１１Ａ−ａ)と略同形状の窪み部１５が座１１の下面に上方側に窪んで設けられ、窪み部１５が、座１１の前端縁側の最深部から中央側領域に向かって下方傾斜して形成されている。このため、下方側の椅子１の座１１の上方側の端縁に上方側の椅子１の窪み部１５を係合させたときに、上方側の椅子１の重心に作用する荷重により、上方側の椅子１の窪み部１５と下方側の椅子１の座１１の上面側の端縁との係合を安定的に維持することができる。
したがって、この実施形態に係る椅子１を採用した場合には、構造を複雑にすることなく、下方側の椅子１の座１１の上部に上方側の椅子１の座１１を安定して積み重ねることができる。
【００２６】
また、この実施形態に係る椅子１は、窪み部１５が、座本体１１Ａの裏面を被う裏面カバー１１Ｂに形成されるため、上方側の椅子１を下方側の椅子１の座１１に重ねたときに、下方側の椅子１の上面が上方側の椅子１の座本体１１Ａの下面の凹凸部に直接接触せずに、裏面カバー１１Ｂに当接することになる。このため、この構造を採用することにより、座１１の上面に傷付き等の劣化が生じるのを未然に防止することができる。
【００２７】
また、この実施形態に係る椅子１においては、窪み部１５が、裏面カバー１１Ｂの底部壁１１Ｂ−ａに形成され、底部壁１１Ｂ−ａと座本体１１Ａの下面との間に空間部１８が設けられている。このため、下方側の椅子１の座１１の上に上方側の椅子１の裏面カバー１１Ｂの底部壁１１Ｂ−ａが当接すると、上方側の椅子１の重みによって上方側の椅子１の裏面カバー１１Ｂの底部壁１１Ｂ−ａが上方側に容易に撓み、その底部壁１１Ｂ−ａの窪み部１５が下方側の椅子１の座１１の前縁湾曲面１１Ａ−ａに密に係合するようになる。したがって、この構造を採用した場合には、下方側の椅子１の座１１の上部に上方側の椅子１の座１１をより安定して積み重ねることができる。
【００２８】
図５は、他の実施形態を示す図であり、同形状の二つの椅子１０１，１０１を上下に積み重ねて左側方から見た図である。
この他の実施形態に係る椅子１０１は、座１１の座本体１１Ａの上面に、座本体１１Ａよりも軟質なクッション材１１Ｃが取り付けられている点のみが上記の実施形態と異なり、他の部分の構成は上記の実施形態と同様となっている。このため、この他の実施形態については、上記の実施形態と同一部分に同一符号を付して重複する説明を省略するものとする。
【００２９】
この他の実施形態に係る椅子１０１は、不使用時に、下方側の椅子１０１の座１１の上部に上方側の椅子１０１の座１１を重ねると、下面側の椅子１０１の座１１の上面側のクッション材１１Ｃが上方側の椅子１０１の重みによって大きく撓み変形する。このため、上方側の椅子１０１の窪み部１５が下方側の椅子１０１の座１１の上面側の縁部(前縁湾曲面１１Ａ−ａを被うクッション材１１Ｃ部分)により密に係合するようになる。
したがって、この他の実施形態に係る椅子１０１を採用することにより、構造を複雑にすることなく、下方側の椅子１０１の座１１の上部に上方側の椅子１０１の座１１をより安定して積み重ねることができる。
【００３０】
なお、この発明は上記の実施形態に限定されるものではなく、その要旨を逸脱しない範囲で種々の設計変更が可能である。
【符号の説明】
【００３１】
１  椅子
１０  脚体
１１  座
１１Ａ  座本体
１１Ｂ  裏面カバー
１１Ｃ  クッション材
１１Ｂ−ａ  底部壁
１５  窪み部
１８  空間部
【図１】
0006478388.tif 000002
【図２】
0006478388.tif 000003
【図３】
0006478388.tif 000004
【図４】
0006478388.tif 000005
【図５】
0006478388.tif 000006